(57)【特許請求の範囲】
【請求項１】
光源から射出された光束を画像情報に応じて変調して光学像を形成し拡大投写する光学系、およびこの光学系の動作を制御する制御部を有する本体と、この本体を収納する外装ケースと、前記制御部の動作を遠隔操作する遠隔操作機器とを備えるプロジェクタであって、
前記外装ケースには、該外装ケースの外側に向かってスライド自在に装着され、上面が開口され、前記遠隔操作機器を収納する収納部が設けられ、
この収納部の内部には、収納される前記遠隔操作機器の重心位置よりもスライド方向外側に凸部が形成されていることを特徴とするプロジェクタ。
【請求項２】
請求項１に記載のプロジェクタにおいて、
前記凸部形成位置に応じた前記収納部外部には、スライド引出用の凹部が形成されていることを特徴とするプロジェクタ。
【請求項３】
請求項１または請求項２に記載のプロジェクタにおいて、
前記外装ケースは、前記遠隔操作機器を収納した際における前記収納部の凸部形成位置に対応する位置に、収納された前記遠隔操作機器を前記凸部に付勢する付勢部材を備えていることを特徴とするプロジェクタ。
【請求項４】
請求項３に記載のプロジェクタにおいて、
前記付勢部材は、前記外装ケースと一体的に形成されていることを特徴とするプロジェクタ。
【請求項５】
請求項１〜請求項４のいずれかに記載のプロジェクタにおいて、
前記収納部は、前記外装ケースから該プロジェクタの投写側へスライド移動することを特徴とするプロジェクタ。
【発明の詳細な説明】
【０００１】
【発明の属する技術分野】
本発明は、光源から射出された光束を画像情報に応じて変調して光学像を形成し拡大投写する光学系、およびこの光学系の動作を制御する制御部を有する本体と、この本体を収納する外装ケースと、前記制御部の動作を遠隔操作する遠隔操作機器とを備えるプロジェクタに関する。
【０００２】
【背景技術】
従来、光源ランプから射出された光束をダイクロイックミラーで三色の色光に分離するダイクロイックミラーと、色光毎に画像情報に応じて変調する３枚の液晶パネルと、各液晶パネルで変調された光束を合成するクロスダイクロイックプリズムとを備える三板式のプロジェクタが知られている。
【０００３】
このようなプロジェクタを使用してプレゼンテーション等を行う場合には、プロジェクタ本体に設けられた操作パネルを直接操作することも可能であるが、一般的には、プロジェクタ本体から離れたスクリーン近傍に使用者が立って、遠隔操作機器（リモートコントローラ；リモコン）を用いて、プロジェクタの遠隔操作を行っている。また、近年のプロジェクタでは、高輝度化に加えて、小型化・軽量化が求められた結果、持ち運び可能なモバイルタイプが開発されている。
このようなモバイルタイプのプロジェクタでは、プロジェクタにリモコンを付帯して携行する必要性から、プロジェクタ本体を収納する外装ケースの外側等にリモコン保持用の保持部が設けられていた。
【０００４】
【発明が解決しようとする課題】
しかしながら、このような保持部を設けた場合には、保持部からリモコンが脱落しないように保持機構を強固にする必要があるので、リモコン保持用の部品に加えてリモコン取り出し用の部品も必要となっていた。このため、保持部を構成する部品の点数が多くなってコスト高になるとともに、リモコンの収納および取り出しの操作が繁雑になるという問題があった。
【０００５】
本発明の目的は、遠隔操作機器を確実に携行できた上で、コストの増加を抑えて、遠隔操作機器の取り扱い性を向上できるプロジェクタを提供することにある。
【０００６】
【課題を解決するための手段】
本発明に係るプロジェクタは、光源から射出された光束を画像情報に応じて変調して光学像を形成し拡大投写する光学系、およびこの光学系の動作を制御する制御部を有する本体と、この本体を収納する外装ケースと、前記制御部の動作を遠隔操作する遠隔操作機器とを備えるプロジェクタであって、前記外装ケースには、該外装ケースの外側に向かってスライド自在に装着され、上面が開口され、前記遠隔操作機器を収納する収納部が設けられ、この収納部の内部には、収納される前記遠隔操作機器の重心位置よりもスライド方向外側に凸部が形成されていることを特徴とする。
【０００７】
ここで、前記遠隔操作機器とは、本体の制御部を遠隔操作するリモートコントローラ（リモコン）のことである。このリモコンは、例えば、投写画像の設定変更や、出力される音量の調節、入力する画像情報の切替等の各操作について遠隔操作ができる。
【０００８】
ここで、本発明では、例えば、収納部は、箱状の外装ケースの下側に設けられ、外装ケースからプロジェクタの投写側（前方側）等へ、前記外装ケース下面に沿ってスライド移動する構成を採用できる。
【０００９】
本発明によれば、遠隔操作機器を収納部に収納させることにより、遠隔操作機器をプロジェクタに常に付帯させて確実に携行できる。このため、遠隔操作機器による操作で画像の投写をスムーズに実施できる。
また、収納部に収納された遠隔操作機器は、偏心位置にある凸部によって、スライド方向外側から内側に向かって下方向に傾斜した姿勢となる。このため、収納部を外装ケースからスライド方向外側へスライド移動させた際に、操作者側である遠隔操作機器のスライド方向外側部分が上方側へ位置することにより、遠隔操作機器の取り出しや収納をスムーズに行うことができて、遠隔操作機器の取り扱い性を向上できる。
さらに、収納部を１つ用意して凸部を形成するだけで、遠隔操作機器の保持および取り出しの部品を兼ねることができ、簡単な構成で部品点数を減少させてコスト削減を図ることができる。
【００１０】
以上において、前記凸部形成位置に応じた前記収納部外部には、スライド引出用の凹部が形成されていることが好ましい。ここで、凸部としては、例えば、収納部の一部を外部側から内部側へ膨出させた構成とすることができ、この場合には、凸部の反対側を凹部として構成できる。
このようにすれば、凸部と凹部とが兼用されることにより、部材点数を増やすことなく、前述した取り扱い性向上機能に加えて、外装ケースから収納部をスライド移動させる際の把手としての機能も発揮できる。
【００１１】
以上において、前記外装ケースは、前記遠隔操作機器を収納した際における前記収納部の凸部形成位置に対応する位置に、収納された前記遠隔操作機器を前記凸部に付勢する付勢部材を備えていることが好ましい。
遠隔操作機器を収納部に収納させた状態で外装ケースに装着すると、遠隔操作機器は、外装ケースの付勢部材によって凸部へと付勢され、凸部と付勢部材との間で挟まれた状態となる。このため、収納部内での遠隔操作機器のがたつきを防止できる。
ここで、遠隔操作機器が平板状であって、凸部または付勢部材における遠隔操作機器との当接部分が平たい場合には、平たい面同士の当接により、遠隔操作機器はスライド方向に沿った姿勢で保持収納されることになる。この状態で収納部を外装ケースからスライド移動させても、遠隔操作機器の一部によって収納部のスライド移動は阻害されない。
さらに、収納部を外装ケースからスライド移動させていくと、付勢部材と凸部との相対的な位置がずれたところで、遠隔操作機器の姿勢がスライド方向内側に向かって下方向に傾斜した状態となるため、操作者側である遠隔操作機器の外側端部が、収納部の開口上面から上方へ飛び出すことにより、収納部から遠隔操作機器を簡単に取り出すことができる。逆にいえば、収納部に遠隔操作機器を簡単に収納させることができる。このため、遠隔操作機器の取り扱い性を向上できる。
【００１２】
また、前記付勢部材は、前記外装ケースと一体的に形成されていることが好ましい。
この場合には、例えば、射出成形等の簡便な手段によって付勢部材を外装ケースに一体的に形成することにより、部品点数を減少できるとともに、簡単に製造でき、これによりコスト低減を図ることができる。
【００１３】
さらに、前記収納部は、前記外装ケースから該プロジェクタの投写側へスライド移動することが好ましい。
この場合には、プロジェクタの投写側である正面側から収納部のスライド移動操作を行うため、遠隔操作機器の収納、取り出しが容易となる。
【００１４】
【発明の実施の形態】
以下、本発明の一実施形態を図面に基づいて説明する。
〔１．プロジェクタの主な構成〕
図１は、本発明に係るプロジェクタ１を上方前面側から見た斜視図である。図２は、プロジェクタ１を下方背面側から見た斜視図である。
図１または図２に示すように、プロジェクタ１は、射出成形によって成形された略直方体状の外装ケース２を備える。この外装ケース２は、プロジェクタ１の本体部分を収納する合成樹脂製の筐体であり、アッパーケース２１と、ロアーケース２２とを備え、これらのケース２１，２２は、互いに着脱自在に構成されている。
【００１５】
アッパーケース２１は、図１，２に示すように、プロジェクタ１の上面、側面、前面、および背面をそれぞれ構成する上面部２１Ａ、側面部２１Ｂ、前面部２１Ｃおよび背面部２１Ｄを含んで構成される。
同様に、ロアーケース２２も、図１，２に示すように、プロジェクタ１の下面、側面、前面、および背面をそれぞれ構成する下面部２２Ａ、側面部２２Ｂ、前面部２２Ｃ、および背面部２２Ｄを含んで構成される。
【００１６】
従って、図１，２に示すように、直方体状の外装ケース２において、アッパーケース２１およびロアーケース２２の側面部２１Ｂ，２２Ｂ同士が連続的に接続されて直方体の側面部分２１０が構成され、同様に、前面部２１Ｃ，２２Ｃ同士の接続で前面部分２２０が、背面部２１Ｄ，２２Ｄ同士の接続で背面部分２３０が、上面部２１Ａにより上面部分２４０が、下面部２２Ａにより下面部分２５０がそれぞれ構成される。
【００１７】
図１に示すように、上面部分２４０において、その前方側には操作パネル２３が設けられ、この操作パネル２３の近傍には音声出力用のスピーカ孔２４０Ａが形成されている。
【００１８】
前方から見て右側の側面部分２１０には、２つの側面部２１Ｂ，２２Ｂを跨る開口２１１が形成されている。ここで、外装ケース２内には、上面部分２４０に沿って、後述するメイン基板５１と、インターフェース基板５２とが設けられており、この開口２１１に取り付けられたインターフェースパネル５３を介して、メイン基板５１に実装された接続部５１Ｂと、インターフェース基板５２に実装された接続部５２Ａとが外部に露出している。これらの接続部５１Ｂ，５２Ａにおいて、プロジェクタ１には外部の電子機器等が接続される。
【００１９】
前面部分２２０において、前方から見て右側で、前記操作パネル２３の近傍には、２つの前面部２１Ｃ，２２Ｃを跨ぐ円形状の開口２２１が形成されている。この開口２２１に対応するように、外装ケース２内部には、投写レンズ４６が配置されている。この際、開口２２１から投写レンズ４６の先端部分が外部に露出しており、この露出部分の一部であるレバー４６Ａを介して、投写レンズ４６のフォーカス操作が手動で行えるようになっている。
【００２０】
前面部分２２０において、前記開口２２１の反対側の位置には、排気口２２２が形成されている。この排気口２２２には、安全カバー２２２Ａが形成されている。
【００２１】
図２に示すように、背面部分２３０において、背面から見た右側には矩形状の開口２３１が形成され、この開口２３１からインレットコネクタ２４が露出するようになっている。
【００２２】
下面部分２５０において、下方から見て右端側の中央位置には矩形状の開口２５１が形成されている。開口２５１には、この開口２５１を覆うランプカバー２５が着脱自在に設けられている。このランプカバー２５を取り外すことにより、図示しない光源ランプの交換が容易に行えるようになっている。
【００２３】
また、下面部分２５０において、下方から見て左側で背面側の隅部には、一段内側に凹んだ矩形面２５２が形成されている。この矩形面２５２には、外部から冷却空気を吸入するための吸気口２５２Ａが形成されている。矩形面２５２には、この矩形面２５２を覆う吸気口カバー２６が着脱自在に設けられている。吸気口カバー２６には、吸気口２５２Ａに対応する開口２６Ａが形成されている。開口２６Ａには、図示しないエアフィルタが設けられており、内部への塵埃の侵入が防止されている。
【００２４】
さらに、下面部分２５０において、後方側の略中央位置にはプロジェクタ１の脚部を構成する後脚２Ｒが形成されている。また、下面部２２Ａにおける前方側の左右の隅部には、同じくプロジェクタ１の脚部を構成する前脚２Ｆがそれぞれ設けられている。つまり、プロジェクタ１は、後脚２Ｒおよび２つ前脚２Ｆにより３点で支持されている。
２つの前脚２Ｆは、それぞれ上下方向に進退可能に構成されており、プロジェクタ１の前後方向および左右方向の傾き（姿勢）を調整して、投写画像の位置調整ができるようになっている。
【００２５】
また、図１，２に示すように、下面部分２５０と前面部分２２０とを跨るように、外装ケース２における前方側の略中央位置には、直方体状の凹部２５３が形成されている。この凹部２５３には、収納部としてのカバー部材２７が設けられている。カバー部材２７の内部には、図１，２では図示しない遠隔操作機器としてのリモートコントローラ（リモコン）が収納されている。なお、詳しくは後述する。
【００２６】
ここで、図３，４は、プロジェクタ１の内部を示す斜視図である。具体的には、図３は、図１の状態からプロジェクタ１のアッパーケース２１を外した図である。図４は、図３の状態から制御基板５を外した図である。
【００２７】
外装ケース２には、図３，４に示すように、背面部分に沿って配置され、左右方向に延びる電源ユニット３と、この電源ユニット３の前側に配置された平面視略Ｌ字状で光学系としての光学ユニット４と、これらのユニット３，４の上方および右側に配置される制御部としての制御基板５とを備える。これらの各装置３〜５によりプロジェクタ１の本体が構成されている。
【００２８】
電源ユニット３は、電源３１と、この電源３１の下方に配置された図示しないランプ駆動回路（バラスト）とを含んで構成される。
電源３１は、前記インレットコネクタに接続された図示しない電源ケーブルを通して外部から供給された電力を、前記ランプ駆動回路や制御基板５等に供給するものである。
前記ランプ駆動回路は、光学ユニット４を構成する図３，４では図示しない光源ランプに、電源３１から供給された電力を供給するものであり、前記光源ランプと電気的に接続されている。このようなランプ駆動回路は、例えば、基板に配線することにより構成できる。
【００２９】
電源３１および前記ランプ駆動回路は、略平行に上下に並んで配置されており、これらの占有空間は、プロジェクタ１の背面側で左右方向に延びている。
また、電源３１はおよび前記ランプ駆動回路は、左右側が開口されたアルミニウム等の金属製のシールド部材３１Ａによって周囲を覆われている。
シールド部材３１Ａは、冷却空気を誘導するダクトとしての機能に加えて、電源３１や前記ランプ駆動回路で発生する電磁ノイズが、外部へ漏れないようにする機能も有している。
【００３０】
制御基板５は、図３に示すように、ユニット３，４の上側を覆うように配置されＣＰＵや接続部５１Ｂ等を含むメイン基板５１と、このメイン基板５１の下側に配置され接続部５２Ａを含むインターフェース基板５２とを備える。
この制御基板５では、接続部５１Ｂ，５２Ａを介して入力された画像情報に応じて、メイン基板５１のＣＰＵ等が、後述する光学装置を構成する液晶パネルの制御を行う。
【００３１】
メイン基板５１は、金属製のシールド部材５１Ａによって周囲を覆われている。メイン基板５１は、図３ではわかり難いが、光学ユニット４を構成する上ライトガイド４７２の上端部分４７２Ａ（図４）に当接している。
【００３２】
〔２．光学ユニットの詳細な構成〕
ここで、図５は、光学ユニット４を示す分解斜視図である。図６は、光学ユニット４を模式的に示す図である。
光学ユニット４は、図６に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写レンズ４６と、これらの光学部品４１〜４４，４６を収納する合成樹脂製のライトガイド４７（図５）とを備える。
【００３３】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備える。
【００３４】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源ランプ４１６には、高圧水銀ランプを採用している。なお、高圧水銀ランプ以外に、メタルハライドランプやハロゲンランプ等も採用できる。また、リフレクタ４１７には、放物面鏡を採用している。なお、放物面鏡の代わりに、平行化凹レンズおよび楕円面鏡を組み合わせたものを採用してもよい。
【００３５】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００３６】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００３７】
偏光変換素子４１４は、第２レンズアレイ４１３と重畳レンズ４１５との間に配置される。このような偏光変換素子４１４は、第２レンズアレイ４１３からの光を１種類の偏光光に変換するものであり、これにより、光学装置４４での光の利用効率が高められている。
【００３８】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００３９】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４０】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４１】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００４２】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００４３】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００４４】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００４５】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００４６】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００４７】
以上説明した液晶パネル４４１、射出側偏光板４４３およびクロスダイクロイックプリズム４４４は、一体的にユニット化された光学装置本体４５として構成されている。図７は、光学装置本体４５を示す斜視図である。
光学装置本体４５は、図７に示すように、クロスダイクロイックプリズム４４４と、このクロスダイクロイックプリズム４４４の上面に固定された合成樹脂製の固定板４４７と、クロスダイクロイックプリズム４４４の光束入射端面に取り付けられ、射出側偏光板４４３を保持する金属製の保持板４４６と、この保持板４４６の光束入射側に取り付けられた透明樹脂製の４つのピン部材４４５によって保持される液晶パネル４４１（４４１Ｒ，４４１Ｇ，４４１Ｂ）とを備える。
保持板４４６と液晶パネル４４１との間には、所定間隔の空隙が設けられており、この空隙部分に冷却空気が流れるようになっている。
光学装置本体４５は、固定板４４７に形成された４つの腕部４４７Ａの丸穴４４７Ｂを介して、下ライトガイド４７１にねじ止め固定される。
【００４８】
投写レンズ４６は、光学装置４４のクロスダイクロイックプリズム４４４で合成されたカラー画像を拡大して投写するものである。
ライトガイド４７は、図５に示すように、各光学部品４１２〜４１５，４１８，４２１〜４２３，４３１〜４３４，４４２を上方からスライド式に嵌め込む溝部が形成された下ライトガイド４７１と、下ライトガイド４７１の上側開口を閉塞する蓋状の上ライトガイド４７２とを備えて構成される。
【００４９】
図５に示すように、平面視略Ｌ字状の下ライトガイド４７１の一端側には、光源装置４１１が収容されている。他端側には、下ライトガイド４７１に形成されたヘッド部４７３を介して、投写レンズ４６がねじ止め固定されている。
【００５０】
また、図５に示すように、下ライトガイド４７１に収納された光学装置本体４５は、２つのばね部材５０を挟んだ状態で下ライトガイド４７１にねじ止め固定される。この２つのばね部材５０は、フィールドレンズ４１８および入射側偏光板４４２を下方へと付勢して位置を特定する。
【００５１】
〔３．冷却構造〕
図８は、図４から前記上ライトガイドおよび光学装置本体４５を取り外した図である。また、図９は、光学ユニット４を示す斜視図である。
ここで、プロジェクタ１には、図８，９に示すように、液晶パネル４４１を主に冷却するパネル冷却系Ａと、偏光変換素子４１４を主に冷却する偏光変換素子冷却系Ｂと、電源ユニット３を主に冷却する電源冷却系Ｃと、光源装置４１１を主に冷却する光源冷却系Ｄとが設けられている。
【００５２】
図８に示すように、パネル冷却系Ａでは、電源ユニット３の下側に配置された大型のシロッコファン６１が用いられている。
パネル冷却系Ａでは、図８または図９に示すように、シロッコファン６１によって、外装ケース２の下面部分２５０に形成された吸気口２５２Ａ（図２）から吸入された外部の冷却空気は、図示しないダクトによって光学装置本体４５の下方へと導かれ、下ライトガイド４７１における各液晶パネル４４１の下側に形成された吸入口からライトガイド４７内部へと入る。この冷却空気は、図９に示すように、各液晶パネル４４１Ｒ，４４１Ｇ，４４１Ｂとクロスダイクロイックプリズム４４４との間の空隙を通って、液晶パネル４４１と前記射出側偏光板を冷却し、上ライトガイド４７２と前記制御基板との間の空間に排出される。また、この冷却空気は、各液晶パネル４４１Ｒ，４４１Ｇ，４４１Ｂとフィールドレンズ４１８との間の空隙を通って、液晶パネル４４１と前記入射側偏光板を冷却し、上ライトガイド４７２と前記入射側偏光板との間の空間に排出される。
なお、この空間に排出された空気は、上ライトガイド４７２の上端部分４７２Ａと前記制御基板５との当接により、投写レンズ４６側へは流れないようになっている。
【００５３】
偏光変換素子冷却系Ｂでは、前記シロッコファン６１によって吸入された冷却空気は、下ライトガイド４７１の下側に配置された図示しないダクトによって、偏光変換素子４１４の下側まで導かれ、下ライトガイド４７１における偏光変換素子４１４の下側に形成された吸入口からライトガイド４７内へ入り、偏光変換素子４１４を冷却した後に、上ライトガイド４７２に形成された排出口４７４から排出される。
【００５４】
電源冷却系Ｃでは、図８に示すように、金属製の板材を挟んでシロッコファン６１の上側に配置された小型のシロッコファン６２が用いられている。
電源冷却系Ｃでは、パネル冷却系Ａによって上ライトガイド４７２と前記制御基板５の間に流れてきた冷却空気は、制御基板５を冷却しつつシロッコファン６２によって吸入され、電源ユニット３の内部側へと排出される。この内部に排出された空気は、シールド部材３１Ａに沿って流れて電源３１および前記ランプ駆動回路を冷却し、シロッコファン６２とは反対側の開口から排出される。
【００５５】
光源冷却系Ｄでは、光源装置４１１の前面側に配置された軸流ファン６３と、この軸流ファン６３に取り付けられたダクト６４とが用いられている。
光源冷却系Ｄでは、電源冷却系Ｃおよび偏光変換素子冷却系Ｂから排出された空気は、軸流ファン６３の吸引によって、光源装置４１１の側面部分に形成されたスリット状の開口から光源装置４１１内に入り込んで光源ランプ４１６を冷却し、ダクト６４を介して、外装ケース２の排気口２２２から外部へと排出される。
【００５６】
〔４．リモコン収納部分の構成〕
図１０は、前記プロジェクタを構成する外装ケースから収納部であるカバー部材を外側へスライド移動させて、遠隔操作機器であるリモートコントローラ（リモコン）を収納したり取り出したりする様子を示す斜視図である。図１１は、図１０を裏面側から見た斜視図である。図１２は、カバー部材を示す斜視図である。
図１０，１１に示すように、プロジェクタ１において、下面部分２５０と前面部分２２０とを跨るように、外装ケース２における該プロジェクタ１の投写側すなわち前面側の略中央位置には、凹部２５３の下側および前側を覆うカバー部材２７が設けられている。
【００５７】
図１０，１１に示すように、カバー部材２７内部には、遠隔操作機器であるリモコン２８が収納されている。
リモコン２８は、図１０に示すように、略矩形平板状に構成され、表面側に構成された各機能ボタンを押下することにより、投写画像の設定変更機能や、出力音声量調節機能、入力画像情報の切替機能、電源オン・オフ等の各種機能に対応する信号が制御基板５に対して送信され、制御基板５の制御が離間した位置から遠隔操作できるようになっている。なお、これらの機能ボタンは、リモコン２８の本体部分からはほとんど突出していない。
【００５８】
カバー部材２７は、図１０，１１に示すように、上面部２７Ａが開口された中空箱状で合成樹脂製の部材であり、外装ケース２の下面部分２５０に沿って、外装ケース２から前後方向に引き出し式にスライド移動可能に構成されている。
上面部２７Ａは、略矩形状に開口され、リモコン２８の収納および取り出しを行う部分である。
【００５９】
また、図１２に示すように、カバー部材２７は、下面、２つの側面、前面、および背面をそれぞれ構成する下面部２７Ｂ、側面部２７Ｃ、前面部２７Ｄおよび背面部２７Ｅを含んで構成される。
【００６０】
図１２（Ａ）に示すように、下面部２７Ｂにおいて、前面部２７Ｄ側の略中央位置には、前面部２７Ｄの延出方向（左右方向）に沿って延び、内部側へ膨出する断面略横長矩形状の凸部としての膨出部２７１が形成されている。この膨出部２７１の上面２７１Ｕは、平面状に形成されている。
【００６１】
膨出部２７１は、カバー部材２７内部にリモコン２８が収納された際に、このリモコン２８の重心位置よりもスライド方向外側、つまり前側に形成されている。また、この膨出部２７１は、図１２（Ｂ）に示すように、カバー部材２７の外部側から見ると、内部側へ膨出した分だけ凹んだ凹部として構成されている。この凹部となる膨出部２７１は、プロジェクタ１の操作者がカバー部材２７をスライド引き出し用の把手部分として用いられる。
【００６２】
図１２において、側面部２７Ｃには、外装ケース２に形成されたレール部２Ａ（図１１）に係合する係合部２７Ｃ１が形成されている。係合部２７Ｃ１がレール部２Ａに沿って移動することにより、カバー部材２７が前後方向へスライド移動する。係合部２７Ｃ１の後方側端部には、カバー部材２７脱落防止用の係止部２７Ｃ２が形成されている。
前面部２７Ｄは、図１を参照すれば、外装ケース２の前面部分２２０に沿ったやや丸みのある形状で形成され、プロジェクタ１の前面部分の一部分を構成している。
【００６３】
次に、外装ケース２からカバー部材２７をスライド移動させて、内部に収納されたリモコン２８を取り出す様子について説明する。
図１３は、外装ケース２の下面部分２５０に構成された凹部２５３に、リモコン２８を含むカバー部材２７が収納された様子を示す部分断面図である。図１４は、リモコン２８を含むカバー部材２７が外装ケース２から前面側にスライド移動した様子を示す部分断面図である。
【００６４】
まず、リモコン２８を含むカバー部材２７が外装ケース２に収納された状態について説明する。
図１３に示すように、凹部２５３内における外装ケース２の下面部分２５０には、外装ケース２にカバー部材２７が収納された際に、カバー部材２７の膨出部２７１の形成位置に対応する位置に突起２９が形成されている。この突起２９は、カバー部材２７に収納されたリモコン２８に当接し、このリモコン２８を膨出部２７１へ付勢する付勢部材として機能している。突起２９は、収納されたリモコン２８における各種機能ボタン以外の部分に当接する。
【００６５】
さらに、図１１において、突起２９（図１３）は図面に隠れているが、外装ケース２の下面部分２５０において、前記突起が形成された部分は、矩形状の開口部２９Ａを前後方向に跨って形成されたブリッジ状のばね部２９Ｂとして構成されている。このばね部２９Ｂには、図１３に示すように、前述した突起２９が形成されている。
また、図１３に示すように、ばね部２９Ｂは、外装ケース２の下面部分２５０における他の部分よりも肉薄に形成されている。このように肉薄で、かつ両端が支持されたブリッジ状であることから、ばね部２９Ｂは、上下方向に撓んで弾性体として機能するばね構造となっている。このため、ばね部２９Ｂの弾性により、各部材の寸法ばらつきを吸収し、適切な付勢力をもたせることができる。
【００６６】
カバー部材２７が収納された際におけるカバー部材２７内のリモコン２８は、突起２９により膨出部２７１側に付勢されている。換言すれば、リモコン２８の前面側部分２８Ｆの表裏面が、突起２９と膨出部２７１との一箇所で挟まれた状態となっている。このため、収納されたリモコン２８は、前面側部分２８Ｆが膨出部２７１の平面状の上面２７１Ｕに倣うため、カバー部材２７の下面、すなわち、外装ケース２の下面部分２５０に沿って平行な姿勢となっている。
【００６７】
次に、図１４に示すように、外装ケース２からカバー部材２７をスライド移動させて、リモコン２８を取り出す際の様子について説明する。
すなわち、カバー部材２７をスライド移動させ、リモコン２８の前面側部分２８Ｆの先端が外装ケース２の前面部分２２０よりも外側に出てから、突起２９と膨出部２７１との相対的な対向位置がずれると、リモコン２８自身の重心Ｇとの位置関係から、リモコン２８は膨出部２７１からの支持がなくなった状態となる。
このため、リモコン２８の背面側部分２８Ｒがカバー部材２７の下面部２７Ｂ側へ下がって当接することにより、リモコン２８の姿勢は、下面部分２５０に平行な状態からスライド方向内側に向かって下方向に傾斜した状態へと変化する。従って、カバー部材２７をスライド移動させると、リモコン２８の前面側部分２８Ｆがカバー部材２７の開口された上面部２７Ａから上方へ飛び出すこととなる。これにより、カバー部材２７からリモコン２８が取り出し易くなっている。
【００６８】
なお、カバー部材２７にリモコン２８を収納させる場合には、前述した取り出しの手順と逆に作用し同様の手順で、図１４の状態から図１３の状態へと戻すことができる。図示してないが、カバー部材２７は、収納された状態では、不用意にスライドしてしまうのを防止する適切な力で係止されている。
【００６９】
〔５．実施形態の効果〕
本実施形態によれば、以下のような効果がある。
(１)リモコン２８をカバー部材２７に収納させることにより、リモコン２８をプロジェクタ１に常に付帯させて確実に携行できる。これにより、リモコン２８による操作で、プロジェクタ１からの画像投写をスムーズに実施できる。
【００７０】
(２)膨出部２７１が形成されたカバー部材２７を設けるだけの簡単な構成で、リモコン２８の保持用および取り出し用の部品を兼用でき、部品点数を減少させてコスト削減を図ることができる。
【００７１】
(３)凸部と凹部とを兼用するような膨出部２７１として、これらの凸部および凹部を構成したので、部材点数を増やすことなく、外装ケース２からカバー部材２７をスライド移動させる際の把手としての機能を付加できる。
【００７２】
(４)リモコン２８をカバー部材２７に収納させた状態で外装ケース２に装着すると、リモコン２８は、外装ケース２の突起２９によって膨出部２７１へと付勢されて、膨出部２７１と突起２９との間で挟まれた状態となり、カバー部材２７内でのリモコン２８のがたつきを確実に防止できる。
【００７３】
(５)リモコン２８を平板状に形成し、膨出部２７１の上面２７１Ｕを平面状に形成したので、リモコン２８は、スライド方向に沿った姿勢で収納されるため、リモコン２８の先端部分によってカバー部材２７のスライド移動が阻害されず、スムーズなスライド操作を行うことができる。
【００７４】
(６)カバー部材２７を外装ケース２からスライド移動させ、突起２９と膨出部２７１との相対位置がずれた位置となると、リモコン２８の姿勢が傾斜し、操作者側の前面側部分２８Ｆの端部が、カバー部材２７の開口された上面部２７Ａから上方側へ飛び出すことにより、カバー部材２７からリモコン２８を簡単に取り出すことができる。同様に、カバー部材２７にリモコン２８を簡単に収納させることができる。以上のことより、リモコン２８の取り扱い性を向上できる。
【００７５】
(７)射出成形により外装ケース２に突起２９を一体的に形成したので、部品点数を減少できた上で簡単に製造できるため、コスト低減を図ることができる。
【００７６】
(８)カバー部材２７がプロジェクタ１の投写側へスライド移動する構成としたので、プロジェクタ１の投写側である正面側からカバー部材２７のスライド移動操作を行うため、リモコン２８の収納、取り出しを容易にできる。
【００７７】
(９)カバー部材２７の前面部２７Ｄがプロジェクタ１の前面の一部を構成し、外装ケース２の前面部分２２０に沿った構成としたので、プロジェクタ１の正面側から見た外観意匠性を向上できる。
【００７８】
(10)膨出部２７１を下面部２７Ｂの略中央位置に形成したので、把手として使用する場合に、使用者からの引き出す力をカバー部材２７の左右端縁に均等にかけるかけることができ、カバー部材２７の係合部２７Ｃ１が外装ケース２のレール部２Ａに沿って移動するため、外装ケース２からカバー部材２７をスムーズに引き出すことができる。また、膨出部２７１の断面形状を略矩形状としたので、比較的操作者の指が掛けやすいため、スライド操作性を向上できる。
【００７９】
〔６．実施形態の変形〕
なお、本発明は、前記実施形態に限定されるものではなく、本発明の目的を達成できる他の構成等を含み、以下に示すような変形等も本発明に含まれる。
例えば、カバー部材２７を、下面部分２５０の略中央の位置に構成したが、これに限らず、右側位置や左側位置等の他の位置に構成してもよい。さらに、プロジェクタ１の前面部分２２０に構成したが、これに限らず、前面部分２２０以外の側面部分２１０や背面部分２３０等のその他の部分に構成してもよい。この際、スライド方向は、投写側には限定されず、左方向、後方等の任意の方向としてよい。要するに、カバー部材２７を構成する位置やスライド方向は、プロジェクタ１の形状や大きさ、各構成部材の配置等の各要素に応じて適宜変更すればよく、プロジェクタ１のどの位置とするかは限定されない。
【００８０】
前記実施形態において、凸部および凹部として、これらを兼用する膨出部２７１により構成したが、これに限らず、凸部と凹部とをそれぞれ別々に構成してもよい。特に、凹部を構成する代わりに、カバー部材２７の前面部の一部を切欠いて把手となる部分を形成したりする等して構成してもよい。さらには、必要がなければ凹部はなくてもよい。ただし、前記実施形態のほうが、スライド操作性と、加工工程の簡略化によるコスト削減とを図ることができる利点がある。
【００８１】
また、前記実施形態において、膨出部の形状を断面矩形状としたが、これには限定されず、その他の形状であってもよく、要するに、収納されるリモコン２８が突起２９側へ付勢されればよい。このため、膨出部の代わりに、リモコン２８の前面側部分２８Ｆの左右側の両端縁を付勢する突起を、カバー部材２７にそれぞれ設ける構成としてもよい。
【００８２】
前記実施形態において、付勢部材としての突起２９を外装ケース２に一体的に構成したが、これに限らず、別途、付勢用の部材を設けて、リモコン２８を付勢する構成としてもよい。
【００８３】
前記各実施形態において、３つの光変調装置を用いたプロジェクタを採用したが、これに限らず、例えば、１つの光変調装置のみを用いたプロジェクタ、２つの光変調装置を用いたプロジェクタ、または４つ以上の光変調装置を用いたプロジェクタとしてもよい。また、光変調装置として液晶パネルを採用したが、これに限らず、マイクロミラーを用いたデバイス等の液晶以外の光変調装置を採用してもよい。さらに、透過型の光変調装置ではなく、反射型の光変調装置を用いてもよい。
その他、本発明の実施時の具体的な構造および形状等は、本発明の目的を達成できる範囲で、他の構造等としてもよい。
【００８４】
【発明の効果】
本発明に係るプロジェクタによれば、遠隔操作機器を確実に携行できた上で、コストの増加を抑えて、遠隔操作機器の取り扱い性を向上できるという効果がある。
【図面の簡単な説明】
【図１】本発明に係るプロジェクタを上方前面側から見た斜視図である。
【図２】前記プロジェクタを下方背面側から見た斜視図である。
【図３】前記プロジェクタの内部を示す斜視図であり、具体的には、図１の状態からアッパーケースを外した図である。
【図４】前記プロジェクタの内部を示す斜視図であり、具体的には、図３の状態から制御基板を外した図である。
【図５】前記プロジェクタを構成する光学ユニットを示す分解斜視図である。
【図６】前記光学ユニットを模式的に示す図である。
【図７】前記光学ユニットを構成する光学装置本体を示す斜視図である。
【図８】前記プロジェクタの内部における冷却系を説明するための斜視図であり、具体的には、図４から上ライトガイドおよび前記光学装置本体を取り外し、冷却系を示した図である。
【図９】前記光学ユニットの冷却系を説明するための斜視図である。
【図１０】前記プロジェクタを構成する外装ケースからカバー部材を外側へスライド移動させて、リモートコントローラを収納し取り出す様子を示す斜視図である。
【図１１】図１０を裏面側から見た斜視図である。
【図１２】前記カバー部材を示す斜視図である。
【図１３】前記プロジェクタを構成する外装ケースの下面部分に構成された凹部に、前記リモコンを含むカバー部材が収納された様子を示す部分断面図である。
【図１４】前記リモコンを含むカバー部材が前記外装ケースから前面側にスライド移動した様子を示す部分断面図である。
【符号の説明】
１  プロジェクタ
２  外装ケース
３  本体を構成する電源ユニット
４  光学系としての光学ユニット
５  制御部としての制御基板
２７  収納部としてのカバー部材
２８  遠隔操作機器としてのリモコン
２９  付勢部材としての突起
２７１  凸部および凹部を兼用する膨出部
４１１  光源としての光源装置
Ｇ  重心
【図１】
0004003504.tif 000002
【図２】
0004003504.tif 000003
【図３】
0004003504.tif 000004
【図４】
0004003504.tif 000005
【図５】
0004003504.tif 000006
【図６】
0004003504.tif 000007
【図７】
0004003504.tif 000008
【図８】
0004003504.tif 000009
【図９】
0004003504.tif 000010
【図１０】
0004003504.tif 000011
【図１１】
0004003504.tif 000012
【図１２】
0004003504.tif 000013
【図１３】
0004003504.tif 000014
【図１４】
0004003504.tif 000015